(57)【特許請求の範囲】
【請求項１】
ＩＳＤＮ用機器のＳ／Ｔ点ポートに一端が接続されたモジュラケーブルの他端を接続する１又は複数のＩＳＤＮ用モジュラジャックと、マルチメディアコンセント側のＩＳＤＮ用モジュラジャックで夫々の一端が並列接続された２組のＩＳＤＮ用ケーブルの他端が夫々各別に接続されるとともに、複数の上記マルチメディアコンセント側のＩＳＤＮ用モジュラジャックを本体内部でバス結線するように、本体内部で互いに接続された複数対のＩＳＤＮ用の接続端子部と、本体内部で該対のＩＳＤＮ用の接続端子部の終端に接続される終端抵抗とを備え、上記１又は複数のＩＳＤＮ用モジュラジャックと上記対のＩＳＤＮ用の接続端子部の始端とは、上記ＩＳＤＮ用ケーブルをスター状に配線するように、本体内部で結線されていることを特徴とするマルチメディア対応先行配線システム用の中継端子台。
【請求項２】
ＬＡＮ用機器とモジュラケーブルで接続されるＬＡＮ用モジュラジャックと、マルチメディアコンセント側からのＬＡＮ用ケーブルが接続されるとともに、該ＬＡＮ用ケーブルをスター状に配線するように上記ＬＡＮ用モジュラジャックと本体内部で結線されるＬＡＮ用の接続端子部と、アナログ電話回線用のアナログポートを持つ機器の該アナログポートにモジュラケーブルで接続されるアナログ電話用モジュラジャックと、マルチメディアコンセント側からの１乃至複数のアナログ電話用ケーブルが接続されるとともに、該１乃至複数のアナログ電話用ケーブルをスター状に配線するように上記アナログ電話用モジュラジャックと本体内部でバス接続される１乃至複数のアナログ電話用の接続端子部とを備えていることを特徴とする請求項１記載のマルチメディア対応先行配線システム用の中継端子台。
【請求項３】
上記ＬＡＮ用の接続端子部がＬＡＮ用ケーブルの対の線と被覆の配色と対応するように配置した端子より成ることを特徴とする請求項２記載のマルチメディア対応先行配線システム用の中継端子台。
【請求項４】
上記対のＩＳＤＮ用の接続端子部を並設して成ることを特徴とする請求項１乃至３の何れか記載のマルチメディア対応先行配線システム用の中継端子台。
【請求項５】
各接続端子部を速結端子で構成したことを特徴とする請求項１乃至４の何れか記載のマルチメディア対応先行配線システム用の中継端子台。
【発明の詳細な説明】
【０００１】
【発明の属する技術分野】
本発明は、マルチメディア対応先行配線システム用の中継端子台に関するものである。
【０００２】
【従来の技術】
従来ＩＳＤＮ、ＬＡＮ、アナログ電話の各ケーブルを先行配線した配線システムでは、各マルチメディアコンセント側からのケーブルを集中して配線して夫々の対応する被接続機器とを接続するための端子台が無かったため、例えば盤内配線が複雑になるばかりか、広いスぺースを必要とした。
【０００３】
【発明が解決しようとする課題】
本発明は、上記のような問題点に鑑みて為されたもので、その目的とするところは、省スペース化が図れ、且つケーブルと、被接続機器との接続が集中して行える中継端子台を提供することにある。
【０００４】
【課題を解決するための手段】
上記目的を達成するために請求項１の発明では、ＩＳＤＮ用機器のＳ／Ｔ点ポートに一端が接続されたモジュラケーブルの他端を接続する１又は複数のＩＳＤＮ用モジュラジャックと、マルチメディアコンセント側のＩＳＤＮ用モジュラジャックで夫々の一端が並列接続された２組のＩＳＤＮ用ケーブルの他端が夫々各別に接続されるとともに、複数の上記マルチメディアコンセント側のＩＳＤＮ用モジュラジャックを本体内部でバス結線するように、本体内部で互いに接続された複数対のＩＳＤＮ用の接続端子部と、本体内部で該対のＩＳＤＮ用の接続端子部の終端に接続される終端抵抗とを備え、上記１又は複数のＩＳＤＮ用モジュラジャックと上記対のＩＳＤＮ用の接続端子部の始端とは、上記ＩＳＤＮ用ケーブルをスター状に配線するように、本体内部で結線されていることを特徴とする。
【０００５】
請求項２の発明では、請求項１の発明において、ＬＡＮ用機器とモジュラケーブルで接続されるＬＡＮ用モジュラジャックと、マルチメディアコンセント側からのＬＡＮ用ケーブルが接続されるとともに、該ＬＡＮ用ケーブルをスター状に配線するように上記ＬＡＮ用モジュラジャックと本体内部で結線されるＬＡＮ用の接続端子部と、アナログ電話回線用のアナログポートを持つ機器の該アナログポートにモジュラケーブルで接続されるアナログ電話用モジュラジャックと、マルチメディアコンセント側からの１乃至複数のアナログ電話用ケーブルが接続されるとともに、該１乃至複数のアナログ電話用ケーブルをスター状に配線するように上記アナログ電話用モジュラジャックと本体内部でバス接続される１乃至複数のアナログ電話用の接続端子部とを備えていることを特徴とする。
【０００６】
請求項３の発明では、請求項２の発明において、上記ＬＡＮ用の接続端子部がＬＡＮ用ケーブルの対の線と被覆の配色と対応するように配置した端子より成ることを特徴とする。
【０００７】
請求項４の発明では、請求項１乃至３の何れかの発明において、上記対のＩＳＤＮ用の接続端子部を並設して成ることを特徴とする。
【０００８】
請求項５の発明では、請求項１乃至４の何れかの発明において、各接続端子部を速結端子で構成したことを特徴とする。
【００１４】
【発明の実施の形態】
以下本発明を実施形態により説明する。
【００１５】
（実施形態１）
本実施形態は図２に示すようなマルチメディア対応先行配線システムに用いるマルチメディアポート１の盤内に収納されて使用される中継端子台２に係るものである。
【００１６】
この中継端子台２は図１に示すように一定モジュール寸法で形成されて、本体上端に設けられた取り付け片３ａにはだるま孔の取り付け孔３ｂを、また下端に設けられた取り付け片３ｃには丸孔の取り付け孔３ｄを所定のピッチで設けてアッテ、該取り付け孔３ｂ，３ｄによりマルチメディアポート１に取り付けられるようになっており、本体３には内部配線を行ったＬＡＮ用中継部４，ＩＳＤＮ用中継部５，アナログ電話用中継部６等を一体に備え、本体３表面には夫々の中継部４〜６に夫々対応したケーブルを接続するための接続端子部と、被接続機器との間でモジュラーケーブルにより接続されるモジュラジャックとを備えるとともにラベルＬＢが貼着されている。
【００１７】
ＬＡＮ用中継部４はカテゴリ５のＬＡＮ用モジュラジャック（以下ＬＡＮ用モジュラジャックと略す）４１〜４３を上下方向に列設し、各ＬＡＮ用モジュラジャック４１〜４３の側方に夫々に対応した４対のペア線からなるカテゴリ５のＬＡＮ用ケーブル（以下ＬＡＮ用ケーブルと略す）を接続するための４組の接続端子７…を横一列に配置して構成される接続端子部を上下に３組配置してある。
【００１８】
接続端子７は１対の速結端子を内蔵しており、表面に開口した夫々の速結端子に対応する対の電線挿入孔７ａ、７ａよりＬＡＮ用ケーブルの対の各線を挿入接続するようになっている。そして４つの接続端子７…が本体３内において対応するモジュラジャック４１〜４３に接続され、接続端子７…とモジュラジャック４１〜４３とを介してＬＡＮ用ケーブルと被接続機器であるＬＡＮ用機器とが接続できるようになっている。
【００１９】
図２の例では各モジュラジャック４１〜４３はマルチメディアポート１内に配設されているＩＳＤＮ用ハブ付きルータ８のハブの１０ＢＡＳＥ−ＴのポートのＬＡＮ用モジュラジャック８１〜８３との間でカテゴリ５に対応するモジュラケーブル９１〜９３を介して接続される。また各接続端子部の４つの接続端子７…は室内側に配設されたマルチメディアコンセントに配設されているＬＡＮ用モジュラジャック１１〜１３との間に接続されたＬＡＮ用ケーブル２１〜２３が接続される。
【００２０】
尚４つの接続端子７はカテゴリ５の４対の線の夫々の被覆に施された配色に対応する形で図３に示すように配置されている。図３中の▲１▼〜▲８▼は各配色に対応して割り当てられた線番と対応するものである。
【００２１】
ＩＳＤＮ用中継部５はＩＳＤＮ機器のＳ／Ｔ点ポートに接続するＩＳＤＮ用モジュラジャック５０と、横一列に配設した４つの接続端子７…を１組として６組の接続端子部を設けてある。接続端子７はＬＡＮ用中継部４の接続端子７と同じ構成であって、１つのツイストペア線を接続することができるようになっている。そして左側及び右側の夫々２つの接続端子７、７には２つのツイストペア線からなるＩＳＤＮ用ケーブル３１，３２が図示するように夫々接続されるようなっている。４つの接続端子７…の内左側の２つ接続端子７，７は下側の４つの接続端子７の右側の２つの接続端子７，７に本体３内部で図４に示すように結線され、最下段の左側の２つの接続端子７，７は始端側の端子部としてＩＳＤＮ用モジュラジャック５０と本体３内部で結線され、また最上段の右側の２つの接続端子７は終端側の端子部として終端抵抗Ｒ１，Ｒ２が夫々接続されている。
【００２２】
そして４つの接続端子７…に接続されるＩＳＤＮ用ケーブル３１，３２は一つのＩＳＤＮ用モジュラジャック９に一端が接続されており、左側の接続端子７，７に接続されるＩＳＤＮ用ケーブル３１が行きの配線、右側の接続端子７，７に接続されるＩＳＤＮ用ケーブル３２が帰りの配線を構成する。
【００２３】
実際にＩＳＤＮ用モジュラジャック９を接続する場合にはＩＳＤＮ用ケーブル３１，３２を最下段から順番に接続することになり、最上段の接続端子７…を使用しない場合には終端となるＩＳＤＮ用モジュラジャック９に終端抵抗を接続する。
【００２４】
左右、２つずつの接続端子７…は図５に示すように２対のペア線からなるＩＳＤＮ用ケーブルの各線Ｌ１〜Ｌ４に施した配色に対応して配列されている。
【００２５】
図２の例では、室内側に設けられたマルチメディアコンセントに配設されたＩＳＤＮ用モジュラジャック９１…に接続した、行きと帰りの配線のために４つのツイストペア線でＩＳＤＮ用ケーブル３１，３２を夫々構成した１本のケーブルの他端を対応する４つの接続端子７…に接続してある。そしてＩＳＤＮ用モジュラジャック５０をアナログポート付きのＤＳＵ１０の２つのＳ／Ｔ点ポートの２つのＩＳＤＮ用モジュラジャック１１、１２の一方１２にＩＳＤＮに対応したモジュラケーブル９４を介して接続される。
【００２６】
アナログ電話用中継部６は２つのアナログ電話用モジュラジャック６１，６２と、これらモジュラジャック６１，６２に図６に示すように本体３内部でバス接続された夫々接続端子７からなる６組の接続端子部から構成されている。そして接続端子７は上記の接続端子７と同じ構造を持つもので、夫々の接続端子７には一端にマルチメディアコンセント側のアナログ電話用モジュラジャック６３に接続されたツイストペア線からなるアナログ電話用ケーブル１５の他端が接続されるのである。
【００２７】
図２の例では、アナログ電話用モジュラジャック６１，６２にはＤＳＵ１０のアナログポートのアナログ電話用モジュラジャック６４，６５がモジュラケーブル９５，９６を夫々介して接続される。また室内にマルチメディアコンセントに配設されたアナログ電話用モジュラジャック６３１…、６３２…に一端を接続したアナログ電話用ケーブル１５１…、１５２…の他端が適宜な接続端子７…に接続される。
【００２８】
尚中継端子台２には電話局からのＩＳＤＮの加入者回線１００が保安器（図示せず）を介して接続され、接続端子７’とこの接続端子７’に接続される加入者回線用モジュラジャック１０１とを備えており、図２の例では加入者回線用モジュラジャック１０１にはモジュラケーブル９７を介してＤＳＵの加入者回線接続ポートのモジュラジャック６６が接続されている。接続端子７’は上記の接続端子７と同じ構造を有するものである。
【００２９】
このようにして本実施形態の中継端子台２はＩＳＤＮ，ＬＡＮ、アナログ電話の各ケーブルを集中的に結線して、夫々の被接続機器との間で中継接続でき、盤内の省スペース化と配線の簡略化が図れるのである。
【００３０】
図２においてＤＳＵ１０のＳ／Ｔ点ポートのモジュラジャック１１はルータ８のＳ／Ｔ点ポートのモジュラジャック８４にＩＳＤＮ用のモジュラケーブル９８を介して接続されている。またルータ８の１つの１０ＢＡＳＥ−Ｔのポートのモジュラジャック８５はカテゴリ５に対応するモジュラケーブル９９を介して本発明の参考例１に対応する中継端子台２００のＬＡＮ用モジュラジャック２０１に接続されている。該中継端子台２００は参考例１として以下に詳説する。
（参考例１）
本参考例の中継端子台２００は図７に示すように本体２１０の幅方向の寸法が中継端子台２の本体３の半分の寸法に形成され、上下端に設けた取り付け片２１０ａ，２１０ｃに夫々設けた取り付け孔２１０ｂ，２１０ｄによりマルチメディアポート１の盤内に取り付けられるようになっており、本体２１０の表面にはＬＡＮ用ケーブルに対応して４つの接続端子７…を１組とする接続端子部２０１Ａ…を３つ上下方向に所定間隔をあけて設けるとともに夫々の接続端子部２０１Ａ…の下方に夫々に、本体２１０内で結線されたＬＡＮ用モジュラジャック２０１…を配設してある。
【００３１】
図２においては、中継端子台２００の２０１のモジュラジャックに対応する最上段の接続端子部２０１Ａを構成する接続端子７…には、マルチメディアコンセントに設けられたＬＡＮ用モジュラジャック１４に一端を接続したＬＡＮ用ケーブル２４の他端が接続され、中継端子台２００を介して室内側のＬＡＮ用モジュラジャック１４にルータ８の１つの１０ＢＡＳＥ−Ｔのポートが中継接続される。勿論参考例では３つのＬＡＮ用モジュラジャック２０１…に夫々ルータ８の各１０ＢＡＳＥ−Ｔのポートを接続し、対応する接続端子部２０１Ａ…に外部のＬＡＮ用ケーブルを夫々接続することにより、集中した中継接続が可能となる。
【００３２】
（実施形態２）
上記中継端子台２に設けられているＩＳＤＮ用中継部５を独立した中継端子台としたものが本実施形態であり、図８に示すように中継端子台３００の本体３１０の幅方向の寸法が中継端子台２の本体３の半分の寸法に形成され、上下端に設けた取り付け片３１０ａ，３１０ｃに夫々設けた取り付け孔３１０ｂ，３１０ｄによりマルチメディアポート１の盤内に取り付けられるようになっている。そして本体３１０の表面下端にはＩＳＤＮ用モジュラジャック５０’を配設するとともに、４つの接続端子７…を１組とする接続端子部を６つ上下方向に配設してある。
【００３３】
内部配線は実施形態１のＩＳＤＮ用中継部５と同じであるので説明は省略する。
【００３４】
而して本実施形態も実施形態１のＩＳＤＮ用中継部５と同様に室内側のマルチメディアコンセントに設けられたＩＳＤＮ用モジュラジャックとの間で折り返し配線されるＩＳＤＮ用ケーブルが各接続部に接続されて、擬似的にスター結線を行うことができるのである。
【００３５】
（参考例２）
本参考例はアナログ電話用中継部６を独立した中継端子台としたものであり、図９に示すように中継端子台４００の本体４１０の幅方向の寸法が中継端子台２の本体３の半分の寸法に形成され、上下端に設けた取り付け片４１０ａ，４１０ｃに夫々設けた取り付け孔４１０ｂ，４１０ｄによりマルチメディアポート１の盤内に取り付けられるようになっている。そして本体４１０の下部表面にはアナログ電話用モジュラジャック６０を配設するとともに、このアナログ電話用モジュラジャック６０に本体４１０内でバス接続された接続端子７…からなる接続端子部を上下方向に６つ配設してある。
【００３６】
内部配線は実施形態１のアナログ電話用中継部６と同じであるので説明は省略する。
【００３７】
而して本実施形態も実施形態１のアナログ電話用中継部６と同様に室内側のマルチメディアコンセントに設けられたアナログ電話用モジュラジャックとの間で接続することで、アナログ電話用系の配線もスター状に集中した中継接続ができる。
【００３８】
【発明の効果】
請求項１の発明は、ＩＳＤＮ用機器のＳ／Ｔ点ポートに一端が接続されたモジュラケーブルの他端を接続する１又は複数のＩＳＤＮ用モジュラジャックと、マルチメディアコンセント側のＩＳＤＮ用モジュラジャックで夫々の一端が並列接続された２組のＩＳＤＮ用ケーブルの他端が夫々各別に接続されるとともに、複数の上記マルチメディアコンセント側のＩＳＤＮ用モジュラジャックを本体内部でバス結線するように、本体内部で互いに接続された複数対のＩＳＤＮ用の接続端子部と、本体内部で該対のＩＳＤＮ用の接続端子部の終端に接続される終端抵抗とを備え、上記１又は複数のＩＳＤＮ用モジュラジャックと上記対のＩＳＤＮ用の接続端子部の始端とは、上記ＩＳＤＮ用ケーブルをスター状に配線するように、本体内部で結線されているので、ＩＳＤＮ用ケーブルをスター配線と同様な形で配線することができ、これによりＩＳＤＮ系の配線において１つの本体で集中配線が行え、そのため取り付けスペースを小さくすることができるとともに、配線スペースも小さくでき、また配線管理も容易となり、その上、終端側に接続されるモジュラジャックやＩＳＤＮ用機器に終端抵抗を内蔵する必要がないという効果を奏する。
【００３９】
請求項２の発明は、ＬＡＮ用機器とモジュラケーブルで接続されるＬＡＮ用モジュラジャックと、マルチメディアコンセント側からのＬＡＮ用ケーブルが接続されるとともに、該ＬＡＮ用ケーブルをスター状に配線するように上記ＬＡＮ用モジュラジャックと本体内部で結線されるＬＡＮ用の接続端子部と、アナログ電話回線用のアナログポートを持つ機器の該アナログポートにモジュラケーブルで接続されるアナログ電話用モジュラジャックと、マルチメディアコンセント側からの１乃至複数のアナログ電話用ケーブルが接続されるとともに、該１乃至複数のアナログ電話用ケーブルをスター状に配線するように上記アナログ電話用モジュラジャックと本体内部でバス接続される１乃至複数のアナログ電話用の接続端子部とを備えているので、ＬＡＮ系、ＩＳＤＮ系、アナログ電話系の各配線を一カ所にスター状に集中して中継接続することができるため、省スペースが一層図れるという効果を奏する。
【００４０】
請求項３の発明は、上記ＬＡＮ用の接続端子部がＬＡＮ用ケーブルの対の線と被覆の配色と対応するように配置した端子より成るので、ＬＡＮ用ケーブルの結線が容易になるという効果を奏する。
【００４１】
請求項４の発明は、上記対のＩＳＤＮ用の接続端子部を並設したので、ＩＳＤＮ用ケーブルの行き、帰りのケーブルの誤結線を防げるという効果を奏する。
【００４２】
請求項５の発明は、各接続端子部を速結端子で構成したので、ケーブルの結線が容易に行えるという効果を奏する。
【図面の簡単な説明】
【図１】  本発明の実施形態１の本体の正面図である。
【図２】  同上の使用例を示す配線システム図である。
【図３】  同上のＬＡＮ用中継部の接続端子部の説明図である。
【図４】  同上のＩＳＤＮ用中継部の内部結線説明図である。
【図５】  同上のＩＳＤＮ用中継部の接続端子部の説明図である。
【図６】  同上のアナログ電話用中継部の内部結線説明図である。
【図７】  本発明の参考例１の正面図である。
【図８】  本発明の実施形態２の正面図である。
【図９】  本発明の参考例２の正面図である。
【符号の説明】
２  中継端子台
３  本体
４  ＬＡＮ用中継部
５  ＩＳＤＮ用中継部
６  アナログ電話用中継部
７  接続端子部
４１〜４３  ＬＡＮ用モジュラジャック
５０  ＩＳＤＮ用モジュラジャック
６１，６２  アナログ電話用モジュラジャック
【図１】
0003750418.tif 000002
【図２】
0003750418.tif 000003
【図３】
0003750418.tif 000004
【図４】
0003750418.tif 000005
【図５】
0003750418.tif 000006
【図６】
0003750418.tif 000007
【図７】
0003750418.tif 000008
【図８】
0003750418.tif 000009
【図９】
0003750418.tif 000010